(57)【要約】【課題】  トイレットペーパーホルダーを利用して手の届き易い位置にメモを書き留めたり小物を置いたりすることのできる棚板（置き台）を、簡易な構成で既存のトイレットペーパーホルダーにも容易に形成実現でき、しかもトイレットペーパーホルダーの機能を損なうことなく簡単に設けることができる画期的トイレットペーパーホルダー用架設板を提供するものである。【解決手段】  壁面１に取付固定されたトイレットペーパーホルダー本体２のトイレットペーパーを回転自在に架設する左右のホルダ側部３の上部に架設状態に配設する物置き可能な架設板４の端部に、前記壁面１とトイレットペーパーホルダー２の背面との間隙６に差し込む屈曲自在な係止片５を設け、このトイレットペーパーホルダー２の背面との間隙６との間に差し込んだ係止片５が屈曲することで、前記架設板４を前記ホルダ側部３の上部に架設状態に配設すると共に、架設板４を起伏回動自在に構成したトイレットペーパーホルダー用架設板。【選択図】      図１
2006280667.tif 000002
【特許請求の範囲】
【請求項１】
壁面に取付固定されたトイレットペーパーホルダー本体のトイレットペーパーを回転自在に架設する左右のホルダ側部の上部に架設状態に配設する物置き可能な架設板の端部に、前記壁面とトイレットペーパーホルダーの背面との間隙に差し込む屈曲自在な係止片を設け、このトイレットペーパーホルダーの背面との間隙との間に差し込んだ係止片が屈曲することで、前記架設板を前記ホルダ側部の上部に架設状態に配設すると共に、架設板を起伏回動自在に構成したことを特徴とするトイレットペーパーホルダー用架設板。
【請求項２】
前記係止片は、帯状の屈曲自在な金属薄板によりなる構成とし、この係止片が前記架設板の端部の少なくとも左右に突設されていることを特徴とする請求項１に記載のトイレットペーパーホルダー用架設板。
【請求項３】
前記架設板は、該架設板の左右端部に、ガイド板を前記左右のホルダ側部の外側面に当接若しくは近接する位置まで夫々垂設することで、この架設板を前記ホルダ側部の上部において左右方向に係止する構成としたことを特徴とする請求項１、２のいずれか１項に記載のトイレットペーパーホルダー用架設板。
【発明の詳細な説明】
【技術分野】
【０００１】
本発明は、トイレットペーパーに架設することで、メモ書き台や小物置き台等として使用可能となるトイレットペーパーホルダー用架設板に関するものである。
【背景技術】
【０００２】
狭いトイレ室内においては、便器で用を足している人の手が届くような位置に用を足しながら使用できるような棚等は設けられていない場合が多い。
【発明の開示】
【発明が解決しようとする課題】
【０００３】
ところで、トイレで用を足している最中には、ふと良いアイディアが思い浮かぶことがあり、このアイディアを忘れないうちに書き留めておきたい場合がある。
【０００４】
しかし、上述のようにトイレ室内に用を足しながら使用できるような棚等がない場合には、たとえメモ用紙と筆記具を持ち込んだとしても、メモ書きすることは容易ではなかった。
【０００５】
一方、この不便を解消するために、例えば、トイレ室内の、便器で用を足している人の手が位置に棚等を後付けすることも考えられるが、取り付け工事が必要でコストも掛かるため現実的ではない。
【０００６】
そこで、本出願人は、この不便を簡単に解決できる方法はないかと試行錯誤するうちに、どのようなトイレであっても、便器で用を足している人の手が届く位置にはトイレットペーパーホルダーが設けられているという点に着眼し、このトイレットペーパーホルダーを利用して手の届き易い位置にメモを書き留めたり小物を置いたりすることのできる棚板（置き台）を、簡易な構成で既存のトイレットペーパーホルダーにも容易に形成実現でき、しかもトイレットペーパーホルダーの機能を損なうことなく簡単に設けることができる画期的トイレットペーパーホルダー用架設板を提供するものである。
【課題を解決するための手段】
【０００７】
添付図面を参照して本発明の要旨を説明する。
【０００８】
壁面１に取付固定されたトイレットペーパーホルダー本体２のトイレットペーパーを回転自在に架設する左右のホルダ側部３の上部に架設状態に配設する物置き可能な架設板４の端部に、前記壁面１とトイレットペーパーホルダー２の背面との間隙６に差し込む屈曲自在な係止片５を設け、このトイレットペーパーホルダー２の背面との間隙６との間に差し込んだ係止片５が屈曲することで、前記架設板４を前記ホルダ側部３の上部に架設状態に配設すると共に、架設板４を起伏回動自在に構成したことを特徴とするトイレットペーパーホルダー用架設板に係るものである。
【０００９】
また、前記係止片５は、帯状の屈曲自在な金属薄板によりなる構成とし、この係止片５が前記架設板４の端部の少なくとも左右に突設されていることを特徴とする請求項１に記載のトイレットペーパーホルダー用架設板に係るものである。
【００１０】
また、前記架設板４は、該架設板４の左右端部に、ガイド板７を前記左右のホルダ側部３の外側面に当接若しくは近接する位置まで夫々垂設することで、この架設板４を前記ホルダ側部３の上部において左右方向に係止する構成としたことを特徴とする請求項１、２のいずれか１項に記載のトイレットペーパーホルダー用架設板。
【発明の効果】
【００１１】
本発明は上述のように構成したから、トイレットペーパーホルダー本体の背面に係止片を差し込むだけの操作で簡単にトイレットペーパーホルダー本体の上部に架設板を架設することができ、この架設板を小物置き台やメモ台に利用することができ、しかもこの架設板をトイレットペーパーホルダー本体の上部に設けたから、例えば、便器で用を足している人が、用を足しながらメモ用紙にアイディアを書き留めたりする際に非常に手の届き易い位置に配設された架設板とすることができ、更に、この架設板が起伏自在に取り付けられるから、架設板を取り外さなくともトイレットペーパーの交換ができ、従って、従来のトイレットペーパーホルダーの機能に支障のないように、架設板を既存のトイレットペーパーホルダーの上部に起伏自在に取り付けできることで、便器で用を足している人の手元に簡単に物置台を設けることができる極めて実用性に秀れるトイレットペーパーホルダー用架設板となる。
【００１２】
また、請求項２に記載の発明によれば、帯状の金属薄板は製造が容易でコスト高とならず量産性に秀れ、壁面とトイレットペーパーホルダー本体の背面との間隙に容易に差しこむことができ、しかもわずかな力で簡単に屈曲させることができるから、架設板の架設や起伏回動を非常に簡単且つ円滑に行うことができ、しかもこの帯状の金属薄板を架設板の端部の少なくとも左右に突設するから、架設板を小物置き台やメモ台として使用する際に、この架設板が傾いたりグラグラすることのない安定性に秀れるトイレットペーパーホルダー用架設板となる。
【００１３】
また、請求項３に記載の発明によれば、架設板の左右端部にガイド板を垂設し、このガイド板がトイレットペーパーホルダー本体の上部に配設された架設板を位置決めするから、架設板を小物置き台やメモ台として使用する際に、この架設板が左右に傾いたりグラグラすることのない安定性に秀れるトイレットペーパーホルダー用架設板となる。
【発明を実施するための最良の形態】
【００１４】
好適と考える本発明の実施形態（発明をどのように実施するか）を、図面に基づいて本発明の作用を示して簡単に説明する。
【００１５】
壁面１とトイレットペーパーホルダー本体２の背面との間隙６に、架設板４の端部に設けた係止片５を差し込むことで、本発明品を簡単にトイレットペーパーホルダー本体２に装着することができる。また、間隙６に差し込んだ係止片５を屈曲させて、架設板４をトイレットペーパーホルダー本体２の左右のホルダ側部３の上部に架設すると、トイレットペーパーホルダー本体２は、トイレ室内の、便器で用を足している人の手が届く位置に設けられているため、便器で用を足しながら使用できる位置に架設板４が設けられ、この架設板４をメモ書き用の台や小物置き台等として使用できる。
【００１６】
従って、トイレで用を足している際には、良いアイディアが思い浮かぶことが多いが、あらかじめトイレ室内にメモ用紙と筆記具を用意しておくことで、トイレットペーパーホルダー本体２上部の手の届く位置にある架設板４をメモ書き台として使用して、用を足しながらメモ用紙にアイディアを書き留めることができ、また、架設板４にメガネ等の携帯小物や装飾小物などを手の届く位置に置いておくことができるので、非常に便利となる。
【００１７】
また、トイレットペーパー交換の際には、トイレットペーパーホルダー本体２の蓋を起伏回動させる必要があるが、この際、屈曲自在な係止片５を介して架設板４を起伏回動させることができるので、架設板４を取り外さなくともトイレットペーパーの交換ができ、トイレットペーパーホルダー本体２の上部に架設板４を配設する構成でありながら、トイレットペーパーホルダーの機能を損なうことがない。
【実施例】
【００１８】
図面に基づいて本発明の実施例を説明する。
【００１９】
本発明の具体的な実施例について図１〜図４に基づいて説明する。
【００２０】
本実施例は、係止片５が設けられた物置き可能な架設板４を、壁面１に取付固定されたトイレットペーパーホルダー本体２のトイレットペーパーを回転自在に架設する左右のホルダ側部３の上部に配設する場合である。
【００２１】
架設板４は、図１に図示したように横長の略長方形状の薄板材を採用する。
【００２２】
具体的には本実施例の架設板４は、樹脂製の薄板材を採用している。
【００２３】
尚、本実施例の架設板４は、上述した樹脂製以外にも金属製の薄板材を用いても良いが、金属製に比して樹脂製の方が製造が容易でコスト安であるため好ましい。
【００２４】
また、本実施例の架設板４は、左右端部にガイド板７が設けられる。
【００２５】
具体的には、ガイド板７として、樹脂製の薄板材を前記トイレットペーパーホルダー本体２の左右のホルダ側部３の外側面に当接する位置まで夫々垂設している。
【００２６】
このガイド板７により架設板をトイレットペーパーホルダー本体の上部にスムーズに架設することができると共に、このガイド板がトイレットペーパーホルダー本体の上部に配設された架設板４を位置決めするから、架設板４を小物置き台やメモ台として使用する際に、この架設板４が左右に傾いたりグラグラすることを防止できる。
【００２７】
また、本実施例の架設板４は、係止片５が設けられない端部に立ち上がり縁９が設けられている。
【００２８】
この立ち上がり縁９により、架設板４に載置した小物等を落下しにくくすることができる。
【００２９】
尚、前記架設板４の上面に滑り止め機能を有するシート材を配設する構成とした場合、架設板４に載置した小物の落下を一層確実に防止できる。
【００３０】
また、前記架設板４の後述する係止片５が設けられる端部には、この端部の少なくとも上面角部を切り欠き若しくは面取りした構成としても良い。
【００３１】
即ち、架設板４の係止片５が設けられる端部は、壁面１に近接させた状態で配設されるため、例えば、この架設板４を上部に起伏回動させると、架設板４の係止片５が設けられる端部の上面角部が壁面１に当たってしまい、架設板４の起伏回動範囲が狭められてしまう場合が危惧されるが、この架設板４の係止片５が設けられる端部の上面角部を切り欠き若しくは面取りすることにより、架設板４を上部に起伏回動しても、架設板４の前記上面角部が壁面１に当たってしまうことがなくなり、よって、架設板４の起伏回動の範囲が狭められることがない。
【００３２】
尚、架設板４は、本実施例以外にも、種々のデザインを施す構成としてもよく、その場合、既存のトイレットペーパー本体に簡単に装着し得る構成でありながら、トイレ室内のデザイン性を向上させることができる。また、薄板材に例えば溝若しくは開口部（穴）を設け、コップを載置若しくは嵌合し易い形状としたりする等、目的に応じて種々の成形を施す構成としても良い。
【００３３】
係止片５は、図１に図示したように、屈曲自在な弾性片である。
【００３４】
また、係止片５は、壁面１とこの壁面１に取付固定されたトイレットペーパーホルダー本体２の背面との間隙６に差し込んで、壁面１とこの壁面１に取付固定されたトイレットペーパーホルダー本体２の背面とで挟持し得る厚みに設定されている。
【００３５】
具体的には本実施例の係止片５は、ステンレス鋼によりなる帯状の金属薄板を採用している。
【００３６】
帯状の金属薄板は、壁面１とトイレットペーパーホルダー本体２の背面との間隙６に差しこみ易く、しかもわずかな力で簡単に屈曲させることができるから、架設板の架設や起伏回動を非常に簡単且つ円滑に行うことができる。
【００３７】
尚、本実施例の前記金属薄板以外にも、適宜、屈曲自在な素材によりなる弾性片を採用できるが、金属薄板とすれば製造が容易でコスト高とならず量産性に秀れるため好ましい。
【００３８】
前記係止片５は、一端を前記架設板４の端部に係止し、他端を前記架設板４の端部から突設させる。
【００３９】
具体的には本実施例の係止片５は、一端が前記架設板４の端部にインサート成形される。
【００４０】
即ち、本実施例においては、係止片５の一端が樹脂中に埋設状態となり、他端は前記架設板４の端部から突出した状態となる。
【００４１】
本実施例のインサート成形以外にも、前記架設板４の端部、端部上面側若しくは端部下面側に、接着剤やネジなどの手段により係止片５を係止しても良いが、係止片５を架設板４の端部にインサート成形することにより、係止片５の一端が樹脂中に確実に埋設して、架設板４と係止片５との連結部の強度を高くすることができると共に、製造容易でコスト高とならずに量産性に秀れたものとなる。更に、インサート成形によれば、前記架設板４の上面にねじが露出して凹凸が生じたりしないため、架設板４の上面の手入れが容易となる。
【００４２】
また、係止片５は、前記架設板４の端部に所定の間隔を介して複数配設される。
【００４３】
本実施例は具体的には、架設板４の端部の左右二箇所に係止片５が設けられる。
【００４４】
架設板４の端部の左右二箇所に係止片５を設けることで、架設板４を左右二箇所で確実にトイレットペーパーホルダー本体２の背面に係止できることとなり、この架設板４の上部に物を載置した場合に、この架設板４が傾いたりグラグラすることがない。
【００４５】
次に、本実施例の使用方法について説明する。
【００４６】
図２に図示したように、壁面１とトイレットペーパーホルダー本体２の背面との間隙６に、架設板４の端部に設けた係止片５を差し込む。
【００４７】
続いて、図３に図示したように、間隙６に差し込んだ係止片５を屈曲させて、架設板４をトイレットペーパーホルダー本体２の左右のホルダ側部３の上部に架設する。
【００４８】
尚、係止片５は、架設板４に埋設状態となる端部とは反対側の端部を、あらかじめ架設板４の上面よりも下方になるように手などで屈曲させた係止片５を壁面１とトイレットペーパーホルダー本体２の背面の間隙に差し込んでも良い。
【００４９】
あらかじめ係止片５を屈曲させることで、架設板４が左右のホルダ側部３に当接せずに浮いてしまうといったことがない。
【００５０】
尚、壁面１とこの壁面１に取付固定されたトイレットペーパーホルダー本体２の背面の間隙が極めて狭く、係止片５を差し込むことが困難な場合、トイレットペーパーホルダー本体２を取付固定するネジ８をゆるめて、前記係止片５を差し込みし得る程度の間隙６を形成すると良い。
【００５１】
トイレットペーパーの交換の際には、図４に図示したように、トイレットペーパーホルダー本体２の蓋を起伏回動させると、屈曲自在な係止片５を介して架設板４が起伏回動する。よって、架設板４を取り外さなくともトイレットペーパーの交換ができる。
【００５２】
従って、本実施例は、係止片５を差し込むだけの操作で架設板４を簡単にトイレットペーパーホルダー本体２に装着することができる。しかも、トイレットペーパーホルダー本体２は、トイレ室内の、便器で用を足している人の手が届く位置に設けられるものであるため、トイレットペーパーホルダー本体２に装着された架設板４は、便器で用を足しながら使用できる位置に設けられることとなり、便器で用を足している人は、この架設板４をメモ書き用の台や小物置き台等として使用できる。尚、便器で用を足しながら使用できる位置とは、人が便器に座った際に手の届く位置である。
【００５３】
また、本実施例は、トイレットペーパー交換の際に係止片５を介して架設板４を起伏回動させることができるので、架設板４を取り外さなくともトイレットペーパーの交換ができ、トイレットペーパーホルダー本体２の上部に架設板４を配設する構成でありながら、トイレットペーパーホルダーの機能を損なうことがない。
【００５４】
即ち、本実施例は、既存のトイレットペーパーホルダー本体２を利用して手の届き易い位置にメモを書き留めたり小物を置いたりすることのできる棚板（置き台）を、係止片５と架設板４とによりなる簡易な構成で既存のトイレットペーパーホルダー本体２に、係止片５を差し込むだけの操作で容易に形成実現でき、しかもトイレットペーパーホルダー本体２の機能を損なうことなく簡単に設けることができる。
【００５５】
尚、本発明は、本実施例に限られるものではなく、各構成要件の具体的構成は適宜設計し得るものである。
【図面の簡単な説明】
【００５６】
【図１】本実施例の斜視図である。
【図２】本実施例をトイレットペーパーホルダー本体に取り付ける前の斜視図である。
【図３】本実施例をトイレットペーパーホルダー本体に取り付けた際の斜視図である。
【図４】本実施例をトイレットペーパーホルダー本体に取り付けた際の断面図である。
【符号の説明】
【００５７】
１  壁面
２  トイレットペーパーホルダー本体
３  ホルダ側部
４  架設板
５  係止片
６  間隙
７  ガイド板
【図１】
2006280667.tif 000003
【図２】
2006280667.tif 000004
【図３】
2006280667.tif 000005
【図４】
2006280667.tif 000006